(57)【要約】【課題】  光ディスクに記録されている信号の再生動作を行う光ピックアップ装置に組み込まれるレーザーダイオード駆動回路を提供する。【解決手段】  モニター素子４から得られる信号の帰還レベルが調整される回路の出力信号に基づいて第１レーザー光の出力を制御する第１レーザー出力制御回路１６と、モニター素子４から得られる信号の帰還レベルが調整される回路の出力信号にて第２レーザー光の出力を制御する第２レーザー出力制御回路１９とを備え、モニター素子４から得られる信号の帰還レベルの調整動作を単一の可変抵抗器２９にて行うように構成されている。【選択図】  図１
2008257829.tif 000002
【特許請求の範囲】
【請求項１】
波長の異なる第１レーザー光及び第２レーザー光を放射する２波長レーザーダイオード及び該２波長レーザーダイオードから放射される第１レーザー光及び第２レーザー光の出力レベルを検出する単一のモニター素子が組み込まれている光ピックアップ装置のレーザーダイオード駆動回路であり、前記モニター素子から得られるモニター出力に基づいて第１レーザー光の出力を制御する第１レーザー出力制御回路と、前記モニター素子から得られるモニター出力に基づいて第２レーザー光の出力を制御する第２レーザー出力制御回路と、前記モニター素子から得られるモニター出力に基づいて前記第１レーザー出力制御回路の動作を制御するとともに感度調整手段にてモニター素子から得られるモニター出力の帰還レベルの調整が行われる第１調整回路と、前記モニター素子から得られるモニター出力に基づいて前記第２レーザー出力制御回路の動作を制御するとともに感度調整手段にてモニター素子から得られるモニター出力の帰還レベルの調整が行われる第２調整回路とより成り、前記第１調整回路の感度調整及び第２調整回路の感度調整を単一の可変抵抗器にて行うようにしたことを特徴とする光ピックアップ装置のレーザーダイオード駆動回路。
【請求項２】
第１レーザー出力制御回路、第２レーザー出力制御回路、第１調整回路及び第２調整回路が単一の集積回路内に組み込まれていることを特徴とする請求項１に記載のレーザーダイオード駆動回路。
【請求項３】
集積回路に第１調整回路の感度調整を行うための第１感度調整用端子及び第２調整回路の感度調整を行うための第２感度調整用端子を設け、第１感度調整用端子と第２感度調整用端子との間に感度調整用固定抵抗を接続するとともに第１感度調整用端子または第２感度調整用端子と接地間に感度調整用可変抵抗器を接続したことを特徴とする請求項２に記載のレーザーダイオード駆動回路。
【請求項４】
モニター素子がバックモニター素子であることを特徴とする請求項１に記載のレーザーダイオード駆動回路。
【発明の詳細な説明】
【技術分野】
【０００１】
本発明は、光ディスクに記録されている信号の読み出し動作や光ディスクに信号の記録動作を行うことが出来る光ピックアップ装置に関し、特にレーザーダイオードの駆動回路に係る。
【背景技術】
【０００２】
光ピックアップ装置から照射されるレーザー光を光ディスクに設けられている信号記録層に照射することによって信号の再生動作や信号の記録動作を行うことが出来る光ディスク装置、特にＣＤ規格やＤＶＤ規格と呼ばれる光ディスクを使用するものが一般に普及している。
【０００３】
光ディスクは信号が記録されている信号記録層とレーザー光が入射する面までの間に透明な保護層が設けられており、ＣＤ規格の光ディスクは、この保護層の厚みが１．２ｍｍ、ＤＶＤ規格の光ディスクは、この保護層の厚みが０．６ｍｍに設定されている。
【０００４】
前述した構成の光ディスクを使用することが出来る光ディスク装置に搭載される光ピックアップ装置には、レーザー光を生成放射するレーザーダイオードと呼ばれる半導体レーザーが組み込まれているが、前述したＣＤ規格の光ディスクに記録されている信号を再生するために使用されるレーザー光は赤外光が使用され、ＤＶＤ規格の光ディスクに記録されている信号を再生するために使用されるレーザー光は赤色光が使用されている。
【０００５】
ＣＤ規格の光ディスクだけでなくＤＶＤ規格の光ディスクも使用することが出来る光ディスク装置には、両規格の光ディスクに記録されている信号の再生動作を行うことが出来る光ピックアップ装置が使用されるが、斯かる光ピックアップ装置には、波長の異なるレーザー光を放射する２つのレーザーダイオードが一般に組み込まれている。(特許文献１参照。)
２つのレーザーダイオードが組み込まれた光ピックアップ装置は、各波長のレーザー光に適した光路設計を行う必要があるので、光学部品の増加とともに光路が複雑になるという問題がある。
【０００６】
斯かる問題を解決する方法として異なる波長のレーザー光を略同一の位置から放射させることが出来る２波長レーザーダイオードと呼ばれる半導体レーザー素子が開発されている。
【０００７】
光ディスク装置において、光ディスクに記録されている信号の再生動作や該光ディスクに信号を記録する記録動作を正確に行うためには、レーザー光の出力レベルを所定のレベルになるように制御する必要があり、特許文献１にはバックモニター用光検出器から得られるモニター信号を利用してレーザー出力の調整動作を行う技術が記載されている。
【０００８】
斯かる構成のレーザー出力制御回路を２つのレーザーダイオードが組み込まれている光ピックアップ装置に組み込む場合には、各レーザーダイオードに対して同一の回路構成よりなるレーザー出力制御回路を各レーザーダイオード毎に設ける必要があるので構成が複雑になるという問題がある。
【０００９】
斯かる技術に対して２波長レーザーダイオードを使用する光ピックアップ装置では、レーザーダイオードの出力をモニターするモニター素子を兼用することが出来る。斯かるモニター素子を兼用して２波長レーザーダイオードの出力を制御するようにした技術が開発
されている。(特許文献２参照。)
【特許文献１】特開２００４−１６４６８１号公報
【特許文献２】特開２００１−２６６３８８号公報
【発明の開示】
【発明が解決しようとする課題】
【００１０】
図２は特許文献２に記載されている従来の技術を実施したレーザーダイオード駆動回路である。同図において、１は２波長レーザーダイオードであり、例えばＣＤ規格の光ディスクに記録されている信号の再生動作に適した波長である第１波長のレーザー光を生成放射する第１レーザーダイオード２、第１波長と異なる波長、例えばＤＶＤ規格の光ディスクに記録されている信号の再生動作に適した波長である第２波長のレーザー光を生成放射する第２レーザーダイオード３、そして前記第１レーザーダイオード２及び第２レーザーダイオード３から放射されるレーザー光の出力レベルを検出するバックモニター素子４が組み込まれている。
【００１１】
５はレーザーダイオード駆動用集積回路であり、電源供給端子(図示せず)、第１レーザーダイオード駆動用出力端子６、第２レーザーダイオード駆動用出力端子７、モニター信号入力端子８、第１スイッチ制御信号入力端子９、第２スイッチ制御信号入力端子１０、第１接地端子１１、第２接地端子１２、第１感度調整用端子１３及び第２感度調整用端子１４が設けられている。
【００１２】
１５は前記レーザーダイオード駆動用集積回路５内に設けられている第１差動増幅器であり、＋側入力端子は前記第１感度調整用端子１３に接続されており、−側入力端子は前記第１接地端子１１に接続されている。斯かる第１差動増幅器１５は+側入力端子及び−側入力端子に入力される信号を比較し、その差に応じた信号を制御信号として出力端子に出力するように構成されている。
【００１３】
１６は前記１差動増幅器１５の出力端子に出力される信号が入力される第１レーザー出力制御回路であり、入力される信号のレベルに応じた信号を出力端子に出力するように構成されている。１７は前記第１レーザー出力制御回路１６から出力される信号が入力される第１レーザー駆動回路であり、出力端子が前記第１レーザーダイオード駆動用出力端子６に接続されている。
【００１４】
１８は前記レーザーダイオード駆動用集積回路５内に設けられている第２差動増幅器であり、＋側入力端子は前記第２感度調整用端子１４に接続されており、−側入力端子は前記第２接地端子１２に接続されている。斯かる第２差動増幅器１８は+側入力端子及び−側入力端子に入力される信号を比較し、その差に応じた信号を制御信号として出力端子に出力するように構成されている。
【００１５】
１９は前記２差動増幅器１８の出力端子に出力される信号が入力される第２レーザー出力制御回路であり、入力される信号のレベルに応じた信号を出力端子に出力するように構成されている。２０は前記第２レーザー出力制御回路１９から出力される信号が入力される第２レーザー駆動回路であり、出力端子が前記第２レーザーダイオード駆動用出力端子７に接続されている。
【００１６】
２１は前記モニター信号入力端子８に入力されるモニター信号である電流を電圧信号に変換する電流電圧変換回路である。２２は前記第１差動増幅器１５の＋側入力端子と前記電流電圧変換回路２１の出力端子との間に挿入接続されている第１スイッチ、２３は前記第１スイッチ制御信号入力端子９に印加される信号によって前記第１スイッチ２２のオンオフ動作を制御する第１スイッチ回路であり、前記第１スイッチ制御信号入力端子９にＨ
(高い)レベルの信号が印加されているとき、前記第１スイッチ２２をオン状態にするように構成されている。
【００１７】
２４は前記第２差動増幅器１８の＋側入力端子と前記電流電圧変換回路２１の出力端子との間に挿入接続されている第２スイッチ、２５は前記第２スイッチ制御信号入力端子１０に印加される信号によって前記第２スイッチ２４のオンオフ動作を制御する第２スイッチ回路であり、前記第２スイッチ制御信号入力端子１０にＨ(高い)レベルの信号が印加されているとき、前記第２スイッチ２４をオン状態にするように構成されている。
【００１８】
レーザーダイオード駆動用集積回路５は前述したように構成されており、第１レーザーダイオード駆動用出力端子６と接地間に前記第１レーザーダイオード２が接続され、第２レーザーダイオード駆動用出力端子７と接地間に前記第２レーザーダイオード３が接続され、モニター信号入力端子８と接地間に前記バックモニター素子４が接続されている。
【００１９】
また、第１接地端子１１及び第２接地端子１２は接地され、第１感度調整用端子１３と接地間及び第２感度調整用端子１４と接地間には感度調整用の第１可変抵抗器２６及び第２可変抵抗器２７が接続されている。そして、第１スイッチ回路２３の動作を制御する信号が入力される第１スイッチ制御信号入力端子９及び第２スイッチ回路２５の動作を制御する信号が入力される第２スイッチ制御信号入力端子１０は、光ディスク装置に組み込まれている制御回路から出力される切換信号が入力されるように該制御回路の出力端子と接続されている。
【００２０】
レーザーダイオード駆動用集積回路５は、前述したように構成されているが、第１レーザーダイオード２の駆動動作を行う場合には、第２差動増幅器１８、第２レーザー出力制御回路１９及び第2レーザー駆動回路２０への電源供給動作が行われないように、また反対に第２レーザーダイオード３の駆動動作を行う場合には、第１差動増幅器１５、第１レーザー出力制御回路１６及び第１レーザー駆動回路１７への電源供給動作が行われないように構成されている。
【００２１】
次に斯かる構成のレーザーダイオード駆動回路の動作について説明する。ＣＤ規格の光ディスクを使用する場合、即ち第１レーザーダイオード２の駆動動作を行う場合には、第１差動増幅器１５、第１レーザー出力制御回路１６、第１レーザー駆動回路１７及び電流電圧変換回路２１への電源供給動作が行われるとともに第１スイッチ制御信号入力端子９にＨレベルの信号が印加される。その結果、第１スイッチ回路２３による切換動作によって第１スイッチ２２がオン状態にせしめられる。従って、斯かる状態では、電流電圧変換回路２１によって電圧信号に変換されたモニター信号が第１差動増幅器１５の＋側入力端子に印加されることになる。
【００２２】
斯かる状態において、第１レーザー駆動回路１７の出力信号であるレーザーダイオード駆動電流が第１レーザーダイオード駆動用出力端子６から第１レーザーダイオード２に供給される。斯かる駆動電流が第１レーザーダイオード２に供給されると、第１波長のレーザー光が該第１レーザーダイオード２から生成放射される。
【００２３】
前記第１レーザーダイオード２からは前方に放射されるレーザー光、即ち光ディスクに照射されるレーザー光と後方に放射されるレーザー光とが生成されるが、後方に放射されるレーザー光がバックモニター素子４に照射されるように構成されている。後方に放射されるレーザー光の出力レベルと前方に放射されるレーザー光の出力レベルとは比例関係にあるので、バックモニター素子４から得られるモニター信号のレベルを検出することによって前記第１レーザーダイオード２から前方に放射されるレーザー光の出力レベルをモニターすることが出来る。
【００２４】
前記バックモニター素子４から得られるモニター信号は、モニター信号入力端子８を通して電流電圧変換回路２１に入力される。前記電流電圧変換回路２１に入力されたモニター信号は、該電流電圧変換回路２１によって電流電圧変換された後、オン状態にある第１スイッチ２２を介して第１差動増幅器１５の＋側入力端子に入力される。
【００２５】
斯かるモニター信号が第１差動増幅器１５の＋側入力端子に入力されると、該第１差動増幅器１５は接地されている−側入力端子と＋側入力端子に入力されるモニター信号のレベル差に応じた信号を出力端子に出力する。斯かる信号が第１差動増幅器１５から出力されると、その出力信号が入力される第１レーザー出力制御回路１６は入力される信号のレベルに応じた制御信号を生成出力する。
【００２６】
前記第１レーザー出力制御回路１６から生成出力される制御信号は、第１レーザーダイオード駆動回路１７に入力され、該第１レーザーダイオード駆動回路１７によって増幅された後第１レーザーダイオード駆動用出力端子６に出力される。このようにして第１レーザーダイオード駆動用出力端子６に出力される駆動信号が第１レーザーダイオード２に供給されるので、該第１レーザーダイオード２を発光駆動することが出来る。
【００２７】
前述したように第１レーザーダイオード２に対する駆動動作は行われるが、前記バックモニター素子４から得られるモニター信号が第１差動増幅器１５の＋側入力端子に印加されるので、該バックモニター素子４から得られるモニター信号のレベルが所定のレベルになるように第１差動増幅器１５及び第１レーザー出力制御回路１６によって制御するように設定すれば、第１レーザーダイオード２から生成放射されるレーザー光の出力レベルを所定のレベル、即ちＣＤ規格の光ディスクに記録されている信号の再生動作に適したレベルになるように制御することが出来る。
【００２８】
ＣＤ規格の光ディスクを使用する場合、即ち第１レーザーダイオード２の駆動動作を行う場合には、前述したように行われるが、次にＤＶＤ規格の光ディスクを使用する場合、即ち第２レーザーダイオード３の駆動動作について説明する。
【００２９】
第２レーザーダイオード３の駆動動作を行う場合には、第２差動増幅器１８、第２レーザー出力制御回路１９、第２レーザー駆動回路２０及び電流電圧変換回路２１への電源供給動作が行われるとともに第２スイッチ制御信号入力端子１０にＨレベルの信号が印加される。その結果、第２スイッチ回路２５による切換動作によって第２スイッチ２４がオン状態にせしめられる。従って、斯かる状態では、電流電圧変換回路２１によって電圧信号に変換されたモニター信号が第２差動増幅器１８の＋側入力端子に印加されることになる。
【００３０】
斯かる状態において、第２レーザー駆動回路２０の出力信号であるレーザーダイオード駆動電流が第２レーザーダイオード駆動用出力端子７から第２レーザーダイオード３に供給される。斯かる駆動電流が第２レーザーダイオード３に供給されると、第２波長のレーザー光が該第２レーザーダイオード３から生成放射される。
【００３１】
前記第２レーザーダイオード３からは前方に放射されるレーザー光、即ち光ディスクに照射されるレーザー光と後方に放射されるレーザー光とが生成されるが、第１レーザーダイオード２と同様に後方に放射されるレーザー光がバックモニター素子４に照射されるように構成されている。後方に放射されるレーザー光の出力レベルと前方に放射されるレーザー光の出力レベルとは比例関係にあるので、バックモニター素子４から得られるモニター信号のレベルを検出することによって前記第２レーザーダイオード３から前方に放射されるレーザー光の出力レベルをモニターすることが出来る。
【００３２】
前記バックモニター素子４から得られるモニター信号は、モニター信号入力端子８を通して電流電圧変換回路２１に入力される。前記電流電圧変換回路２１に入力されたモニター信号は、該電流電圧変換回路２１によって電流電圧変換された後、オン状態にある第２スイッチ２４を介して第２差動増幅器１８の＋側入力端子に入力される。
【００３３】
斯かるモニター信号が第２差動増幅器１８の＋側入力端子に入力されると、該第２差動増幅器１８は接地されている−側入力端子と＋側入力端子に入力されるモニター信号のレベル差に応じた信号を出力端子に出力する。斯かる信号が第２差動増幅器１８から出力されると、その出力信号が入力される第２レーザー出力制御回路１９は入力される信号のレベルに応じた制御信号を生成出力する。
【００３４】
前記第２レーザー出力制御回路１９から生成出力される制御信号は、第２レーザーダイオード駆動回路２０に入力され、該第２レーザーダイオード駆動回路２０によって増幅された後第２レーザーダイオード駆動用出力端子７に出力される。このようにして第２レーザーダイオード駆動用出力端子７に出力される駆動信号が第２レーザーダイオード３に供給されるので、該第２レーザーダイオード３を発光駆動することが出来る。
【００３５】
前述したように第２レーザーダイオード３に対する駆動動作は行われるが、前記バックモニター素子４から得られるモニター信号が第２差動増幅器１８の＋側入力端子に印加されるので、該バックモニター素子４から得られるモニター信号のレベルが所定のレベルになるように第２差動増幅器１８及び第２レーザー出力制御回路１９によって制御するように設定すれば、第２レーザーダイオード３から生成放射されるレーザー光の出力レベルを所定のレベル、即ちＤＶＤ規格の光ディスクに記録されている信号の再生動作に適したレベルになるように制御することが出来る。
【００３６】
第１レーザーダイオード２及び第２レーザーダイオード３から生成放射されるレーザー光の出力レベルを所定のレベルになるようにする動作は前述したように行われるが、斯かる回路は一般にＡＰＣ回路、即ちオートパワーコントロール回路と呼ばれている。
【００３７】
また、図２示したレーザー駆動回路における前述したように第１レーザーダイオード２及び第２レーザーダイオード３から生成放射されるレーザー光の出力レベルを所定のレベルに自動的に制御する動作は行われるが、第１レーザーダイオード２に対するレーザー出力制御動作を行うための感度調整動作及び第２レーザーダイオード３に対するレーザー出力制御動作を行うための感度調整動作は、第１可変抵抗器２６及び第２可変抵抗器２７によって行うように構成されている。
【００３８】
即ち、第１可変抵抗器２６は図示したように第１差動増幅器１５の＋側入力端子と接地間に接続されているので、第１スイッチ２２を介して＋側入力端子に入力されるモニター信号の帰還信号レベルの可変動作、即ち第１差動増幅器１５に対する利得調整動作を行うことが出来る。また、同様に第２可変抵抗器２７は図示したように第２差動増幅器１８の＋側入力端子と接地間に接続されているので、第２スイッチ２４を介して＋側入力端子に入力されるモニター信号の帰還信号レベルの可変動作、即ち第２差動増幅器１８に対する利得調整動作を行うことが出来る。
【００３９】
前述した第１可変抵抗器２６及び第２可変抵抗器２７による利得調整動作は第１レーザーダイオード２とバックモニター素子４との間の光学的効率のバラツキや第２レーザーダイオード３とバックモニター素子４との間の光学的効率のバラツキ、更に波長の差に起因する感度のバラツキを調整するために設けられている。
【００４０】
第１可変抵抗器２６及び第２可変抵抗器２７のように２つの可変抵抗器が設けられているレーザーダイオード駆動回路では、２つの可変抵抗器を使用しているので、高価になるとともに調整動作を各レーザーダイオードに対して行う必要があるので、組み立て工数の増加を招くという問題がある。更に、可変抵抗器は形状が大きいので、実装面積や外形制限等の設計制限を受けるという問題がある。
【００４１】
本発明は、斯かる問題を解決することが出来るレーザーダイオード駆動回路を提供しようとするものである。
【課題を解決するための手段】
【００４２】
本発明は、２波長レーザーダイオードに組み込まれている第１レーザーダイオード及び第２レーザーダイオードから放射されるレーザー光のレベルをモニターするべく設けられているモニター素子から得られるモニター出力に基づいて第１レーザー光の出力を制御する第１レーザー出力制御回路と、前記モニター素子から得られるモニター出力に基づいて第２レーザー光の出力を制御する第２レーザー出力制御回路と、前記モニター素子から得られるモニター出力に基づいて前記第１レーザー出力制御回路の動作を制御するとともに感度調整手段にてモニター素子から得られるモニター出力の帰還レベルの調整が行われる第１調整回路と、前記モニター素子から得られるモニター出力に基づいて前記第２レーザー出力制御回路の動作を制御するとともに感度調整手段にてモニター素子から得られるモニター出力の帰還レベルの調整が行われる第２調整回路とを設け、前記第１調整回路の感度調整及び第２調整回路の感度調整を単一の可変抵抗器にて行うように構成されている。
【００４３】
また、本発明は、第１レーザー出力制御回路、第２レーザー出力制御回路、第１調整回路及び第２調整回路を単一の集積回路内に組み込んだことを特徴とするものである。
【００４４】
そして、本発明は、集積回路に第１調整回路の感度調整を行うための第１感度調整用端子及び第２調整回路の感度調整を行うための第２感度調整用端子を設け、第１感度調整用端子と第２感度調整用端子との間に感度調整用固定抵抗を接続するとともに第１感度調整用端子または第２感度調整用端子と接地間に感度調整用可変抵抗器を接続したことを特徴とするものである。
【００４５】
更に、本発明は、モニター素子してバックモニター素子を利用したことを特徴とするものである。
【発明の効果】
【００４６】
本発明は、２波長レーザーダイオードに組み込まれている第１レーザーダイオード及び第２レーザーダイオードから放射されるレーザー光のレベルをモニターするべく設けられているモニター素子から得られるモニター出力に基づいて第１レーザー光の出力を制御する第１レーザー出力制御回路と、前記モニター素子から得られるモニター出力に基づいて第２レーザー光の出力を制御する第２レーザー出力制御回路と、前記モニター素子から得られるモニター出力に基づいて前記第１レーザー出力制御回路の動作を制御するとともに感度調整手段にてモニター素子から得られるモニター出力の帰還レベルの調整が行われる第１調整回路と、前記モニター素子から得られるモニター出力に基づいて前記第２レーザー出力制御回路の動作を制御するとともに感度調整手段にてモニター素子から得られるモニター出力の帰還レベルの調整が行われる第２調整回路とを設け、前記第１調整回路の感度調整及び第２調整回路の感度調整を単一の可変抵抗器にて行うようにたので、調整動作が簡単になるだけでなく、安価にて製造することが出来る。
【実施例】
【００４７】
図１は本発明に係るレーザーダイオード駆動回路の一実施例であり、図２に示した回路
と同一部品については同一の符号を付している。
【００４８】
本発明のレーザーダイオード駆動回路は、図示したように第１感度調整用端子１３と第２感度調整用端子１４との間に感度調整用固定抵抗２８を接続し、第２感度調整用端子１４と接地間に感度調整用可変抵抗器２９を接続したものである。
【００４９】
斯かる構成によれば第１差動増幅器１５に対するモニター信号の帰還信号レベルの可変動作は感度調整用固定抵抗２８と感度調整用可変抵抗器２９によって行ない、第２差動増幅器１８に対するモニター信号の帰還信号レベルの可変動作は感度調整用可変抵抗器２９によって行われる。
【００５０】
本実施例では、感度調整用可変抵抗器２９によって第１差動増幅器１５及び第２差動増幅器１８に対する利得調整動作を行ない、感度調整用固定抵抗２８によって第１差動増幅器１５と第２差動増幅器１８との間の感度差の調整動作を行うように構成されている。即ち、第１レーザーダイオード２の駆動動作を行うべく設けられている第１差動増幅器１５、第１レーザー出力制御回路１６、第１レーザー駆動回路１７及び電流電圧変換回路２１より成る第１レーザーダイオード駆動用回路と第２レーザーダイオード３の駆動動作を行うべく設けられている第２差動増幅器１８、第２レーザー出力制御回路１９、第２レーザー駆動回路２０及び電流電圧変換回路２１より成る第２レーザーダイオード駆動用回路との間の感度バラツキを感度調整用固定抵抗２８によって調整するように構成されている。
【００５１】
以上に説明したように本実施例では、感度調整用固定抵抗２８及び感度調整用可変抵抗器２９が、電流電圧変換回路２１から第１差動増幅器１５及び第２差動増幅器１８に帰還されるモニター信号の帰還レベルの調整動作を行う調整回路として作用することになる。
【００５２】
尚、本実施例では、２つの異なる波長のレーザー光を生成放射する２波長レーザーダイオードについて説明したが、３波長等のレーザーダイオードに実施することは勿論可能である。また、感度調整用可変抵抗器２９を第２感度調整用端子１４と接地間に接続したが、第１感度調整用端子１３と接地間に接続することも出来る。
【００５３】
更に、本実施例では、モニター素子としてバックモニター素子４を使用したが、前方に放射されるレーザー光を受光する位置に設けられたフロントモニター素子を利用することも出来る。
【図面の簡単な説明】
【００５４】
【図１】本発明に係るレーザーダイオード駆動回路の一実施例である。
【図２】従来のレーザーダイオード駆動回路である。
【符号の説明】
【００５５】
１      ２波長レーザーダイオード
２      第１レーザーダイオード
３      第２レーザーダイオード
４      バックモニター素子
５      レーザーダイオード駆動用集積回路
１３    第１感度調整用端子
１４    第２感度調整用端子
１５    第１差動増幅器
１６    第１レーザー出力制御回路
１７    第１レーザー駆動回路
１８    第２差動増幅器
１９    第２レーザー出力制御回路
２０    第２レーザー駆動回路
２１    電流電圧変換回路
２８    感度調整用固定抵抗
２９    感度調整用固定抵抗器
【図１】
2008257829.tif 000003
【図２】
2008257829.tif 000004